【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
塞栓保護を提供するためのシステムにおいて、
近位端、遠位端、及びガイドワイヤを受け入れるように構成されている管腔、を有する第１シースと、
前記第１シースの遠位部分ヘ付着されている第１遠位保護フィルタであって、近位ループと遠位ループを画定する滑動式交叉点を有する自己展開式フレームと、当該第１遠位保護フィルタの前記自己展開式フレームの前記近位ループ又は前記遠位ループの一方へ付着されているフィルタ要素と、を備えており、前記交叉点は前記フィルタ要素に近接している、第１遠位保護フィルタと、
近位端、遠位端、及び管腔、を有する第２シースであって、前記第１シースに重ねて配置されており、当該第２シースの遠位端は第１遠位保護フィルタの近位に位置している第２シースと、
前記第２シースの遠位部分ヘ付着されている第２遠位保護フィルタであって、近位ループと遠位ループを画定する滑動式交叉点を有する自己展開式フレームと、当該第２遠位保護フィルタの前記自己展開式フレームの前記近位ループへ付着されているフィルタ要素と、を備えており、前記交叉点は前記フィルタ要素に近接している、第２遠位保護フィルタと、
前記第１シースと前記第２シースの両方に重ねて配置されている外シースと、を備えているシステム。
【請求項２】
前記第２遠位保護フィルタの前記フィルタ要素は口と頂点を有しており、前記フィルタ要素の前記口は前記近位ループへ付着されており、前記頂点はシースへ非付着である、請求項１に記載のシステム。
【請求項３】
前記第１シースは前記第１遠位保護フィルタの近位にストッパ部分を含んでおり、前記ストッパ部分は前記第２シースの前進を当該ストッパ部分より近位に停止させるように構成されている、請求項１に記載のシステム。
【請求項４】
前記外シース内収容構成では、前記第１遠位保護フィルタの前記フィルタ要素は前記第２遠位保護フィルタに面する口を有しており、前記第２遠位保護フィルタの前記フィルタ要素は前記第１遠位保護フィルタに面する口を有している、請求項１に記載のシステム。
【請求項５】
前記第１遠位保護フィルタと前記第２遠位保護フィルタの間の距離は調節可能であり、前記第１シースの位置と前記第２シースの位置は独立にロックでき、前記第１シースと前記第２シースの一方を所定位置にロックしておいてその間に他方のシースの前記位置を調節できるようにしている、請求項１に記載のシステム。
【請求項６】
前記第１遠位保護フィルタと前記第２遠位保護フィルタのいずれか又は両方の前記自己展開式フレームは少なくとも１つのアンカー要素を含んでいる、請求項１に記載のシステム。
【請求項７】
前記第１遠位保護フィルタの前記少なくとも１つのアンカー要素は前記血管壁を途中まで穿通するように構成されている、請求項５に記載のシステム。
【請求項８】
前記第１シースは前記第１遠位保護フィルタの近位に少なくとも１つのアンカーを含んでいる、請求項１に記載のシステム。
【請求項９】
前記少なくとも１つのアンカーは、前記第１シースの、前記第１遠位保護フィルタの前記交叉点とは反対の側に位置している、請求項８に記載のシステム。
【請求項１０】
前記少なくとも１つのアンカーは、前記第１遠位保護フィルタが前記外シースから配備されたときに患者の大動脈弓内に位置するように構成されている、請求項８に記載のシステム。
【請求項１１】
前記第１シースの前記少なくとも１つのアンカーは前記血管壁を途中まで穿通するように構成されている、請求項８に記載のシステム。
【請求項１２】
前記第１遠位保護フィルタと前記第２遠位保護フィルタの両方の前記フィルタ要素は、約２００ミクロンより小さい直径を有する複数の空孔を含んでいる、請求項１に記載のシステム。
【請求項１３】
前記第１遠位保護フィルタと前記第２遠位保護フィルタの両方の前記フィルタ要素の前記空孔は、前記フィルタ要素の周辺部分ではより密に配分されている、請求項１２に記載のシステム。
【請求項１４】
前記第１遠位保護フィルタと前記第２遠位保護フィルタの両方の前記フィルタ要素の前記空孔は、前記フィルタ要素の前記周辺部分では当該フィルタ要素の中央部分よりも広い、請求項１２に記載のシステム。
【請求項１５】
前記フィルタ要素の前記空孔は長楕円形の形状である、請求項１２に記載のシステム。
【請求項１６】
前記フィルタ要素はレーザー穿孔穴を有するフィルタ膜を備えている、請求項１に記載のシステム。
【請求項１７】
前記フィルタ要素は、電界紡糸繊維、編み繊維、編組繊維、及び織り繊維、から成る群より選択されているポリマー繊維類を備えている、請求項１に記載のシステム。
【請求項１８】
前記フィルタ要素は、ポリウレタン、ポリエチレン、及びナイロン、から成る群より選択されたポリマーから作られている、請求項１に記載のシステム。
【請求項１９】
前記第１遠位保護フィルタと前記第２遠位保護フィルタの両方の前記フィルタ要素は、約２５パーセントから約７５パーセントの間の開口面積を有している、請求項１に記載のシステム。
【請求項２０】
前記第１遠位保護フィルタと前記第２遠位保護フィルタの両方の前記自己展開式フレームは、放射線不透過性マーカーを含んでおり、前記放射線不透過性マーカーは、超弾性心の周りに巻き付けられた放射線不透過性のワイヤのコイルである、請求項１に記載のシステム。
【請求項２１】
前記第１遠位保護フィルタと前記第２遠位保護フィルタの両方の前記遠位ループは前記第１シース又は前記第２シースのどちらかへ非付着である、請求項１に記載のシステム。
【請求項２２】
前記外シースは約１５度から約４５度の間の曲率を有する湾曲遠位部分を含んでいる、請求項１に記載のシステム。
【請求項２３】
前記第１遠位保護フィルタと前記第２遠位保護フィルタは薬物で被覆されている、請求項１に記載のシステム。
【請求項２４】
前記第１遠位保護フィルタの前記近位ループ又は前記遠位ループのいずれかは第１シースへ付着されており、前記第２遠位保護フィルタの前記近位ループは第２シースへ付着されている、請求項１に記載のシステム。
【請求項２５】
前記自己展開式フレームは、８の字構成に形状付けられた単一のワイヤ要素を備えている、請求項１に記載のシステム。
【請求項２６】
前記システムは、更に、前記第１シースの前記近位部分と係合されている第１ハブ部分と、前記第２シースの前記近位部分と係合されている第２ハブ部分と、前記外シースの前記近位部分と係合されている第３ハブ部分と、を有するハブを含んでおり、前記ハブは、第１シース、第２シース、及び外シースを独立に操縦できるようにしている、請求項１に記載のシステム。
【請求項２７】
前記第３ハブ部分は、取り外し可能であり、前記外シースを別のシースと交換できるように構成されている、請求項２６に記載のシステム。
【請求項２８】
前記第１ハブ部分、前記第２ハブ部分、及び前記第３ハブ部分の各々は、ガイドワイヤを受け入れるように構成されている、請求項２６に記載のシステム。
【請求項２９】
前記システムは、更に、前記第１シースの、前記第１遠位保護フィルタと前記第２遠位保護フィルタの両方の配備後のそれら両フィルタの間の場所に付着されている逸らせ機構を含んでおり、前記逸らせ機構は、膨らませることのできるバルーン、又は平坦な遮蔽板である、請求項１に記載のシステム。
【請求項３０】
少なくとも２つの血管への塞栓保護を提供する方法において、
第１遠位保護フィルタを第１血管の中の第１場所へ前進させる段階であって、前記第１遠位保護フィルタは、第１自己展開式フレームと、口及び頂点を有していて当該口が前記第１自己展開式フレームへ付着されている第１フィルタ要素と、を含んでいる、第１遠位保護フィルタを第１血管の中の第１場所へ前進させる段階と、
前記第１遠位保護フィルタを前記第１場所に配備する段階と、
第２遠位保護フィルタを第２血管の中の第２場所へ操縦する段階であって、前記第２遠位保護フィルタは、第２自己展開式フレームと、口及び頂点を有していて当該口が前記第２自己展開式フレームへ付着されている第２フィルタ要素と、を含んでいる、第２遠位保護フィルタを第２血管の中の第２場所へ操縦する段階と、
前記第２遠位保護フィルタを前記第２場所に配備する段階と、
前記脈管構造の一部分にて微粒子状残屑を放出又は発生させる処置を遂行する段階と、
前記第１遠位保護フィルタと前記第２遠位保護フィルタの１つ又はそれ以上を用いて前記微粒子状残屑を捕捉する段階と、を備えている方法。
【請求項３１】
前記外シースを前記第２フィルタ要素の前記口越しに前進させて当該第２フィルタ要素の当該口を閉じたうえで前記外シースを前記第２フィルタ要素の前記頂点越しに前進させる段階と、
前記外シースを前記第１フィルタ要素の前記口越しに前進させて当該第１フィルタ要素の当該口を閉じたうえで前記外シースを前記第１フィルタ要素の前記頂点越しに前進させる段階と、を更に備えている、請求項３０に記載の方法。